(57)【要約】【課題】リレースイッチの数を抑制した簡易な構成により、開放遅延及び高速遮断を行なうことができるとともに、リレー間の動作協調を不要にして、信頼性の向上を図るための操作回路を提供すること。【解決手段】開閉器２０の操作回路では、保持コイル２２の電源側に、クイック接点スイッチ４１，４２をそれぞれ設ける。クイック接点スイッチ４１，４２は、常時閉になっており、高速遮断を行なう場合に開く。更に、無電圧時に開くリレースイッチ３１を、保持コイル２２と並列に接続し、クイック接点スイッチ４１，４２の電源側にダイオード５０を設ける。【選択図】図１
2014056657.tif 000002
【特許請求の範囲】
【請求項１】
直列に接続された投入部及び投入状態を保持する保持部と、前記投入部に電源電圧を供給するために動作する切替スイッチとを有した開閉器の操作回路において、
前記投入部と閉ループを構成する整流素子を前記投入部の電源側に設けるとともに、
前記整流素子よりも負荷側に、常時閉の高速遮断用スイッチを設け、
前記電源電圧が無電圧になったときに遮断する場合には、前記閉ループに流れる循環電流により遅延開放し、
前記電源電圧があるときに遮断する場合には、前記高速遮断用スイッチを開いて、前記整流素子と、前記投入部とを切り離すことにより高速遮断することを特徴とする開閉器の操作回路。
【請求項２】
前記開閉器を遠隔操作するための開閉器子局から電源電圧が供給され、
前記整流素子及び前記高速遮断用スイッチを、前記開閉器子局に設け、
前記開閉器において、電源電圧がある場合には開くリレースイッチを、前記保持部と並列に設けたことを特徴とする請求項１に記載の開閉器の操作回路。
【請求項３】
前記切替スイッチを、前記保持部と並列に設けたことを特徴とする請求項２に記載の開閉器の操作回路。
【請求項４】
前記切替スイッチは、前記リレースイッチを動作させるリレーと直列に接続された常時開のスイッチであることを特徴とする請求項２に記載の開閉器の操作回路。
【請求項５】
前記開閉器を遠隔操作するための開閉器子局から電源電圧が供給され、
前記整流素子及び前記高速遮断用スイッチを、開閉器子局に設け、
前記高速遮断用スイッチは、前記投入部と前記整流素子との間に設けられ、
前記整流素子は、前記投入部及び前記保持部と閉ループを構成する位置に設けられていることを特徴とする請求項１に記載の開閉器の操作回路。
【請求項６】
前記開閉器を遠隔操作するための開閉器子局から電源電圧が供給され、
前記開閉器は、前記投入部及び前記保持部の両端と、前記投入部と前記保持部との接点とで、前記開閉器子局と接続されており、
前記子局において、
前記投入部と前記保持部との接点に接続するようにリレースイッチを設け、
前記高速遮断用スイッチが、前記投入部と前記整流素子との間に設けられ、
前記整流素子が、前記投入部及び前記保持部と閉ループを構成する位置に設けられていることを特徴とする請求項１に記載の開閉器の操作回路。
【発明の詳細な説明】
【技術分野】
【０００１】
本発明は、配電線用区分開閉器子局によって制御される開閉器の操作回路に関する。
【背景技術】
【０００２】
一般的な配線系統においては、変電所等から引き出された配電線が複数の開閉器により区分されている。各開閉器は、それぞれの子局により制御される。子局は、電力会社等の営業所に設置された配電自動化用制御装置（親局）からの指令により開閉器を制御監視する（例えば、特許文献１参照）。
【０００３】
このような子局の制御によって制御される開閉器においては、短絡電流を遮断しないように、遅延開放回路を内蔵し、無電圧遅延開放時間を確保している。このため、一般的な開閉器は、高速遮断に対応していない。
【０００４】
また、即断回路を有する開閉器も検討されている（特許文献２、３参照）。特許文献２に記載の自動開閉器の即断回路においては、所定の時限差を持った２つのリレースイッチを用いて、高速遮断を実現している。また、特許文献３に記載の自動開閉器においては、遅延開放と即断機能とを２つのリレースイッチにより、遅延回路の接続と切り離すことで実現している。
【先行技術文献】
【特許文献】
【０００５】
【特許文献１】特開２０１１−７２１０８号公報
【特許文献２】特公平２−２３４３２２号公報
【特許文献３】特開２００８−１８１８４３号公報
【発明の概要】
【発明が解決しようとする課題】
【０００６】
しかしながら、特許文献２においては、複数のリレースイッチを必要とするため、機器が大型化するとともに、部品点数が増える。更に、複数のリレー間の動作協調が必要となるため、品質確保が難しい。
【０００７】
また、特許文献３においては、遅延開放機能を備えた遅延開放回路を子局側に設けている。この場合には、回路が複雑となり、開閉器側と協調が必要であり、品質確保が難しい。
【０００８】
本発明は、上記課題を解決するためになされたものであって、その目的は、リレースイッチの数を抑制した簡易な構成により、開放遅延及び高速遮断を行なうことができるとともに、リレー間の動作協調を不要にして、信頼性の向上を図るための操作回路を提供することにある。
【課題を解決するための手段】
【０００９】
上記課題を解決するために、請求項１に記載の発明は、直列に接続された投入部及び投入状態を保持する保持部と、前記投入部に電源電圧を供給するために動作する切替スイッチとを有した開閉器の操作回路において、前記投入部と閉ループを構成する整流素子を前記投入部の電源側に設けるとともに、前記整流素子よりも負荷側に、常時閉の高速遮断用スイッチを設け、前記電源電圧が無電圧になったときに遮断する場合には、前記閉ループに流れる循環電流により遅延開放し、前記電源電圧があるときに遮断する場合には、前記高速遮断用スイッチを開いて、前記整流素子と、前記投入部とを切り離すことにより高速遮断することをその要旨とする。
【００１０】
この発明では、電源電圧が無電圧で遮断する場合には、投入部に蓄積されたエネルギーを、閉ループに流れる循環電流として流すことにより、遅延開放する。また、電源電圧がある場合には、高速遮断用スイッチを開いて、整流素子と投入部とを切り離すことにより、高速遮断する。従って、複数のリレースイッチを使用せずに、無電圧時における開放遅延及び高速遮断を行なうことができる。このため、開閉器の操作回路の小型化が図れるとともに、リレー間の動作協調が不要であるため、品質確保を容易で、かつ信頼性を高めることができる。
【００１１】
請求項２に記載の発明は、請求項１に記載の開閉器の操作回路において、前記開閉器を遠隔操作するための開閉器子局から電源電圧が供給され、前記整流素子及び前記高速遮断用スイッチを、前記開閉器子局に設け、前記開閉器において、電源電圧がある場合には開くリレースイッチを、前記保持部と並列に設けたことをその要旨とする。
この発明では、保持部と並列に設けた１つのリレースイッチにより、簡単な構成で、開放遅延及び高速遮断を行なうことができる。
【００１２】
請求項３に記載の発明は、請求項２に記載の開閉器の操作回路において、前記切替スイッチを、前記保持部と並列に設けたことをその要旨とする。
【００１３】
この発明では、１つのリレースイッチで、電源電圧が無電圧で遮断する場合には、投入部に蓄積されたエネルギーを、閉ループに流れる循環電流として流すことにより、遅延開放し、電源電圧がある場合には、高速遮断用スイッチを開いて、整流素子と、投入部及び保持部とを切り離すことにより、高速遮断を実現することができる。
【００１４】
請求項４に記載の発明は、請求項２に記載の開閉器の操作回路において、前記切替スイッチは、前記リレースイッチを動作させるリレーと直列に接続された常時開のスイッチであることをその要旨とする。
【００１５】
この発明では、１つのリレースイッチで、電源電圧が無電圧で遮断する場合には、閉ループに流れる循環電流として流すことにより遅延開放し、電源電圧がある場合には、高速遮断用スイッチを開いて、整流素子と投入部とを切り離すことにより、高速遮断を実現することができる。
【００１６】
請求項５に記載の発明は、請求項１に記載の開閉器の操作回路において、前記開閉器を遠隔操作するための開閉器子局から電源電圧が供給され、前記整流素子及び前記高速遮断用スイッチを、開閉器子局に設け、前記高速遮断用スイッチは、前記投入部と前記整流素子との間に設けられ、前記整流素子は、前記投入部及び前記保持部のそれぞれと閉ループを構成する位置に設けられていることをその要旨とする。
この発明では、子局側に、高速遮断用スイッチ及び整流素子を設けずに、更にリレースイッチを用いずに、遅延開放及び高速遮断を実現することができる。
【００１７】
請求項６に記載の発明は、請求項１に記載の開閉器の操作回路において、前記開閉器を遠隔操作するための開閉器子局から電源電圧が供給され、前記開閉器は、前記投入部及び前記保持部の両端と、前記投入部と前記保持部との接点とで、前記開閉器子局と接続されており、前記子局において、前記投入部と前記保持部との接点に接続するようにリレースイッチを設け、前記高速遮断用スイッチが、前記投入部と前記整流素子との間に設けられ、前記整流素子が、前記投入部及び前記保持部と閉ループを構成する位置に設けられていることをその要旨とする。
【００１８】
この発明では、３芯においても、１つのリレースイッチで、電源電圧が無電圧で遮断する場合には、閉ループに流れる循環電流として流すことにより遅延開放し、電源電圧がある場合には、高速遮断用スイッチを開いて、整流素子と投入部とを切り離すことにより、高速遮断を実現することができる。
【発明の効果】
【００１９】
本発明によれば、リレースイッチの数を抑制した簡易な構成により、開放遅延及び高速遮断を行なうことができるとともに、リレー間の動作協調を不要にして、信頼性の向上を図ることができる。
【図面の簡単な説明】
【００２０】
【図１】本発明の第１の実施形態における開閉器の操作回路の回路構成図。
【図２】本発明の第１の実施形態における開閉器の操作回路の動作説明図であって、（ａ）投入開始時、（ｂ）は保持時、（ｃ）は遅延開放時、（ｄ）は高速遮断時を示す。
【図３】本発明の他の実施形態における開閉器の操作回路の回路構成図であって、（ａ）は第２の実施形態、（ｂ）は第３の実施形態、（ｃ）は第４の実施形態を示す。
【発明を実施するための形態】
【００２１】
（第１の実施形態）
以下、本発明を具体化した開閉器の操作回路の一実施形態を図１及び図２に従って説明する。このような開閉器は、公知のように、変電所等からの配電線上に、複数、直列に設けられている。開閉器は、配電線の開閉を行なう主接触子を有した本体部と、操作部とを備えており、各開閉器に接続された開閉器子局（以下、「子局」という）により制御される。子局は、電力会社等の営業所に設置された図示しない配電自動化用制御装置（親局）からの指令により開閉器を制御監視する。
【００２２】
＜操作回路の構成＞
図１に示すように、本実施形態の操作回路は、２芯ケーブルにより相互に接続された子局１０の操作部及び開閉器２０の操作部から構成されている。本実施形態では、子局１０の端子１０ａと開閉器２０の端子２０ａが接続され、子局１０の端子１０ｂと開閉器２０の端子２０ｂとが接続されている。
【００２３】
開閉器２０に電源電圧を供給する子局１０には、端子１０ａ，１０ｂの間に、それぞれクイック接点スイッチ４１，４２が設けられている。クイック接点スイッチ４１，４２は、高速遮断用スイッチであって、通常は閉じており、親局から高速遮断の指示を受信した場合に開く。更に、クイック接点スイッチ４１，４２に対して、電源供給側には、カソードが端子１０ａに接続され、アノードが端子１０ｂに接続されたダイオード５０が設けられている。ダイオード５０は、整流素子であり、この両端部には、投入時に電源電圧Ｖが印加される。
【００２４】
開閉器２０の端子２０ａ，２０ｂの間には、投入状態を保持する保持部としての保持コイル２２と、投入部としての投入コイル２３とが直列に接続されている。保持コイル２２のインダクタンスＨＣは、投入コイル２３のインダクタンスＣＣより大きい。この投入コイル２３の励磁により主接触子を投入して配電線に電流を流し、保持コイル２２の励磁により主接触子の投入状態を維持することによって配電線の給電を継続する。
【００２５】
更に、保持コイル２２の両端には、ｂ接点２１ｂ及びリレースイッチ３１が、保持コイル２２と並列となるように、それぞれ接続されている。ｂ接点２１ｂは、切替スイッチとして機能し、常時閉のスイッチであり、投入時に開路される。
リレースイッチ３１は、常時閉のスイッチであり、端子２０ａ，２０ｂ間に電圧差がない場合には、端子２０ａ，２０ｂに接続されたリレー３２により閉じられる。
【００２６】
＜操作回路の動作＞
以上のように構成された操作回路の動作について説明する。本実施形態では、投入開始時、保持時、遅延開放及び高速遮断の順番に説明する。
【００２７】
まず、投入開始時について、図２（ａ）を用いて説明する。この投入開始時には、ｂ接点２１ｂが閉状態で、子局１０の電源供給側に電源電圧Ｖが印加される。これにより、この操作回路において、電源供給側からの電流Ｉａが、クイック接点スイッチ４１、端子１０ａ，２０ａ、ｂ接点２１ｂ、投入コイル２３、端子２０ｂ，１０ｂ、クイック接点スイッチ４２を流れる。そして、投入が完了すると、主接触子が閉じられて、ｂ接点２１ｂは開路される。
【００２８】
次に、保持時について、図２（ｂ）を用いて説明する。この保持時には、ｂ接点２１ｂは開路されているため、子局１０の電源供給側に電源電圧Ｖが印加された状態が維持される。この場合、投入コイル２３によって保持コイル２２が励磁される。これにより、この操作回路において、電源供給側からの電流Ｉｂが、クイック接点スイッチ４１、端子１０ａ，２０ａ、保持コイル２２、投入コイル２３、端子２０ｂ，１０ｂ、クイック接点スイッチ４２を流れる。
【００２９】
次に、遅延開放時について、図２（ｃ）を用いて説明する。この遅延開放時には、子局１０の電源供給側が無電圧になっているので、リレー３２によりリレースイッチ３１が閉じられる。この場合、ｂ接点２１ｂは開路されている。従って、この操作回路において、循環電流Ｉｃが、クイック接点スイッチ４１、端子１０ａ，２０ａ、リレースイッチ３１、投入コイル２３、端子２０ｂ，１０ｂ、クイック接点スイッチ４２及びダイオード５０を流れる。
【００３０】
次に、高速遮断時について、図２（ｄ）を用いて説明する。この高速遮断時には、クイック接点スイッチ４１，４２を開く。これにより、ダイオード５０と投入コイル２３とが切り離される。従って、この操作回路においては、循環電流Ｉｃが流れていた閉ループが切断されて電流が流れず、保持コイル２２及び投入コイル２３は非励磁になる。これにより、開閉器２０の主接触子が高速遮断される。
【００３１】
本実施形態の開閉器２０の操作回路によれば、以下のような効果を得ることができる。
（１）本実施形態の開閉器２０の操作回路では、保持コイル２２の電源側にクイック接点スイッチ４１，４２をそれぞれ設ける。クイック接点スイッチ４１，４２は、常時閉になっており、高速遮断を行なう場合に開く。更に、無電圧時に開くリレースイッチ３１を、保持コイル２２と並列に接続し、クイック接点スイッチ４１，４２の電源側にダイオード５０を設ける。これにより、１つのリレースイッチ３１を使用して、開閉器２０を、無電圧時における開放遅延したり、高速遮断したりすることが可能である。従って、開閉器２０の操作回路の小型化が図れるとともに、リレー間の動作協調が不要であるため、信頼性を向上することができる。
【００３２】
（第２の実施形態）
次に、本発明を具体化した開閉器の操作回路の第２の実施形態を図３（ａ）に従って説明する。本実施形態は、第１の実施形態のクイック接点スイッチ４１，４２を子局１０ではなく、開閉器２０に設けた構成である。従って、本実施形態の開閉器の操作回路は、開閉器２０の操作部から構成されている。以下の実施形態において、上記実施形態と同様な部分については、同一の符号を付し、その詳細な説明を省略する。
【００３３】
＜操作回路の構成＞
図３（ａ）に示すように、子局１０から電源電圧の供給を受ける開閉器２０の端子２０ａ，２０ｂの間には、保持コイル２２と投入コイル２３とが直列に接続されており、保持コイル２２の両端に、ｂ接点２１ｂが、保持コイル２２と並列になるように接続されている。そして、開閉器２０の端子２０ａと保持コイル２２との間には、クイック接点スイッチ４１が設けられている。また、投入コイル２３と端子２０ｂとの間には、クイック接点スイッチ４２が設けられている。これらクイック接点スイッチ４１，４２の電源側となる端子２０ａ，２０ｂ間には、直列接続のダイオード５１，５２が接続されている。ここで、ダイオード５１のカソードは端子２０ａに、ダイオード５２のアノードは端子２０ｂに、それぞれ接続されている。更に、ダイオード５１のアノードは、ｂ接点２１ｂ、保持コイル２２及び投入コイル２３に接続されている。
【００３４】
＜操作回路の動作＞
次に、本実施形態の開閉器の操作回路の動作について説明する。
投入開始時には、ｂ接点２１ｂが閉状態で、子局１０の電源供給側（端子１０ａ，１０ｂ間）に電源電圧Ｖが印加される。これにより、この操作回路において、電源供給側からの電流が、端子１０ａ，２０ａ、クイック接点スイッチ４１、ｂ接点２１ｂ、投入コイル２３を、クイック接点スイッチ４２、端子２０ｂ，１０ｂを流れる。
【００３５】
保持時には、ｂ接点２１ｂが開路されているため、子局１０の電源供給側に電源電圧Ｖが印加された状態が維持される。これにより、この操作回路において、電源供給側からの電流が、端子１０ａ，２０ａ、クイック接点スイッチ４１、保持コイル２２、投入コイル２３、クイック接点スイッチ４２、端子２０ｂ，１０ｂを流れる。
【００３６】
遅延開放時には、子局１０の電源供給側（端子１０ａ，１０ｂ間）が無電圧になっており、ｂ接点２１ｂは開路されている。従って、この操作回路において、循環電流が、クイック接点スイッチ４２、投入コイル２３及びダイオード５２を含む閉ループ等に流れる。
【００３７】
高速遮断時には、クイック接点スイッチ４１，４２を開く。従って、この操作回路においては、循環電流が流れていた閉ループが切断されて、保持コイル２２及び投入コイル２３は非励磁になり、開閉器２０の主接触子が高速遮断される。
【００３８】
本実施形態の開閉器の操作回路によれば、以下のような効果を得ることができる。
（２）本実施形態の開閉器２０の操作回路では、保持コイル２２の電源側と、端子２０ａ，２０ｂとのそれぞれの間に、クイック接点スイッチ４１，４２を設ける。クイック接点スイッチ４１，４２は、常時閉になっており、高速遮断の場合に開く。更に、開閉器２０のクイック接点スイッチ４１，４２の電源側の端子２０ａ，２０ｂ間に、直列接続のダイオード５１，５２が接続されている。これにより、クイック接点スイッチ４１，４２及びダイオード５１，５２を子局１０ではなく開閉器２０内に設けた場合において、リレースイッチを用いなくても、遅延開放及び高速遮断を行なうことが可能である。従って、開閉器２０の操作回路の小型化が図れるとともに、リレー間の動作協調が不要であるため、信頼性を向上することができる。
【００３９】
（第３の実施形態）
次に、本発明を具体化した開閉器の操作回路の第３の実施形態を図３（ｂ）に従って説明する。本実施形態は、第１の実施形態のリレースイッチ３１が開くタイミングを変更した構成である。
【００４０】
＜操作回路の構成＞
本実施形態の子局１０は、上記第１実施形態と同様な構成をしている。そして、子局１０の端子１０ａと開閉器２０の端子２０ａが接続され、子局１０の端子１０ｂと開閉器２０の端子２０ｂとが接続されている。
【００４１】
図３（ｂ）に示すように、本実施形態においては、上記実施形態と同様に、開閉器２０の端子２０ａ，２０ｂの間には、保持コイル２２と投入コイル２３とが直列に接続されており、保持コイル２２の両端に、リレースイッチ３１が保持コイル２２と並列に接続されている。このリレースイッチ３１は、常時閉のスイッチであり、端子２０ａ，２０ｂ間に電圧差がない場合には、端子２０ａ，２０ｂに接続されたリレー３２により閉じられる。更に、リレースイッチ３１よりも電源側であって、端子２０ａとリレー３２との間にａ接点２１ａが接続されている。このａ接点２１ａは、切替スイッチとして機能し、常時開のスイッチであり、投入時に閉路される。
【００４２】
＜操作回路の動作＞
次に、本実施形態の開閉器の操作回路の動作について説明する。
投入開始時には、ａ接点２１ａが開状態で、子局１０の電源供給側に電源電圧Ｖが印加される。この場合、リレー３２に電流が流れず、リレースイッチ３１は閉じられる。これにより、この操作回路において、電源供給側からの電流は、クイック接点スイッチ４１、端子１０ａ，２０ａ、リレースイッチ３１、投入コイル２３、端子２０ｂ，１０ｂ、クイック接点スイッチ４２を流れる。そして、投入が完了すると、主接触子が閉じられて、ａ接点２１ａは閉路される。
【００４３】
保持時には、ａ接点２１ａが閉路されているため、子局１０の電源供給側に電源電圧Ｖが印加される。この場合、リレー３２に電流が流れて、リレースイッチ３１は開く。これにより、この操作回路において、電源供給側からの電流は、クイック接点スイッチ４１、端子１０ａ，２０ａ、保持コイル２２、投入コイル２３、端子２０ｂ，１０ｂ、子局１０のクイック接点スイッチ４２を流れる。
【００４４】
遅延開放時には、子局１０の電源供給側が無電圧になっているので、ａ接点２１ａは閉じていても、リレースイッチ３１が閉じられる。これにより、この操作回路において、循環電流が、リレースイッチ３１、投入コイル２３及びダイオード５０を含む閉ループに流れる。
【００４５】
高速遮断時には、クイック接点スイッチ４１，４２を開く。従って、この操作回路においては、循環電流が流れていた閉ループが切断されて、保持コイル２２及び投入コイル２３は非励磁になり、開閉器２０の主接触子が高速遮断される。
【００４６】
本実施形態の開閉器の操作回路によれば、上記（１）と同様な効果に加えて、以下のような効果を得ることができる。
（３）本実施形態の開閉器２０の操作回路では、ａ接点２１ａにリレー３２を設け、保持コイル２２と並列にリレースイッチ３１を設ける。この構成によっても、電源電圧がなくなった場合に、閉ループに循環電流を流して、開閉器２０を遅延開放することができる。更に、電源電圧がある場合には、クイック接点スイッチ４１，４２を開いて、遅延開放時において循環電流が流れていた閉ループを切断することにより、開閉器２０を高速遮断することができる。
【００４７】
（第４の実施形態）
次に、本発明を具体化した開閉器の操作回路の第４の実施形態を図３（ｃ）に従って説明する。上記実施形態では、子局１０及び開閉器２０を２芯ケーブルにより相互に接続したが、ケーブル種別はこれに限定されるものでない。本実施形態は、例えば３芯にした場合の構成を説明する。具体的には、本実施形態では、子局１０の端子１０ａ，１０ｂ，１０ｃが、開閉器２０の端子２０ａ，２０ｂ，２０ｃのそれぞれに接続されている。
【００４８】
＜操作回路の構成＞
図３（ｃ）に示すように、開閉器２０は、端子２０ａ，２０ｂ，２０ｃを備えている。端子２０ａ，２０ｃの間には、ｂ接点２１ｂ及び保持コイル２２が並列に接続されている。端子２０ｂ，２０ｃの間には、投入コイル２３が設けられている。
【００４９】
子局１０の端子１０ａ，１０ｃ間には、アノードが端子１０ｃ、カソードが端子１０ａに接続されたダイオード５１が設けられている。また、子局１０の端子１０ｂ，１０ｃ間には、アノードが端子１０ｂ、カソードが端子１０ｃに接続されたダイオード５２が設けられている。
【００５０】
更に、端子１０ａとダイオード５１のカソードとの間には、クイック接点スイッチ４１が設けられている。端子１０ｂとダイオード５２のアノードとの間には、クイック接点スイッチ４２が設けられている。更に、ダイオード５１のアノードと端子１０ｃとの間には、リレースイッチ３１が設けられている。リレースイッチ３１は、常時閉のスイッチであり、端子２０ａ，２０ｂ間に電圧差がない場合には、端子２０ａ，２０ｂに接続されたリレー３２により閉じられる。
【００５１】
＜操作回路の動作＞
次に、本実施形態の開閉器の操作回路の動作について説明する。
投入開始時には、ｂ接点２１ｂが閉状態で、子局１０の電源供給側に電源電圧Ｖが印加される。これにより、この操作回路において、電源供給側からの電流が、クイック接点スイッチ４１、端子１０ａ，２０ａ、ｂ接点２１ｂ、投入コイル２３、端子２０ｂ，１０ｂ、クイック接点スイッチ４２を流れる。
【００５２】
保持時には、ｂ接点２１ｂが開路されているため、子局１０の電源供給側に電源電圧Ｖが印加された状態が維持される。これにより、この操作回路において、電源供給側からの電流が、クイック接点スイッチ４１、端子１０ａ，２０ａ、保持コイル２２、投入コイル２３、端子２０ｂ，１０ｂ、クイック接点スイッチ４２を流れる。
【００５３】
遅延開放時には、子局１０の電源供給側が無電圧になっているので、リレー３２によりリレースイッチ３１が閉じられる。この場合、ｂ接点２１ｂは開路されている。従って、この操作回路において、循環電流が、クイック接点スイッチ４２、投入コイル２３及びダイオード５２を含む閉ループ等に流れる。
【００５４】
高速遮断時には、クイック接点スイッチ４１，４２を開く。従って、この操作回路においては、循環電流が流れていた閉ループが切断されて、保持コイル２２及び投入コイル２３は非励磁になり、開閉器２０の主接触子が高速遮断される。
【００５５】
本実施形態の開閉器の操作回路によれば、上記（１）と同様な効果に加えて、以下のような効果を得ることができる。
（４）上記実施形態では、子局１０と開閉器２０との接続を３芯とした場合であっても、遅延開放及び高速遮断を実現することができる。
【００５６】
また、上記各実施形態は、以下のように変更してもよい。
・  上記実施形態においては、投入状態を保持する保持部として保持コイル２２を用いたが、この保持コイル２２の代わりに抵抗を用いても、簡単な構成で、遅延開放及び高速遮断を実現することができる。
【００５７】
・  上記実施形態においては、リレースイッチ３１を用いたが、遅延開放できるスイッチであればよく、無電圧時から所定時間後に開放されるタイマー付きのスイッチを用いることも可能である。
・  上記実施形態においては、高速遮断用スイッチとして１対のクイック接点スイッチ４１，４２を設けたが、循環電流が流れる閉ループを切り離すスイッチであれば、個数はこれに限定されない。
【符号の説明】
【００５８】
１０…子局、２０…開閉器、２１ａ…ａ接点，２１ｂ…ｂ接点、２２…保持コイル、２３…投入コイル、３１…リレースイッチ、３２…リレー、４１，４２…クイック接点スイッチ、５０，５１，５２…ダイオード。
【図１】
2014056657.tif 000003
【図２】
2014056657.tif 000004
【図３】
2014056657.tif 000005